(57)【要約】【課題】吐出部と搬送ロールとの間に連続紙を吸着しながら搬送する吸着搬送装置を有しない構成と比較して、連続紙の折りミシン目が、搬送ロールを通過するときに発生する振動の伝播を抑制する画像形成装置を得る。【解決手段】画像形成装置１０は、  折りミシン目２Ａを備える連続紙２に設けられた送り穴２Ｂにピン５６を挿入し連続紙２を搬送するトラクタ機構２４と、連続紙２を挟みながら搬送すると共にトラクタ機構２４の搬送速度に対して連続紙２に張力を付与するように搬送速度が設定された搬送ロール２８と、トラクタ機構２４と搬送ロール２８との間に設けられ連続紙２にインク滴を吐出する記録ヘッド２６と、記録ヘッド２６と搬送ロール２８との間に設けられ連続紙２を吸着しながら搬送する吸着搬送装置６４と、を有する。【選択図】図２
2018020859.tif 000002
【特許請求の範囲】
【請求項１】
折りミシン目を備える連続紙に設けられた送り穴にピンを挿入し前記連続紙を搬送する搬送機構と、
前記連続紙を挟みながら搬送すると共に、前記搬送機構の搬送速度に対して前記連続紙に張力を付与するように搬送速度が設定された搬送ロールと、
前記搬送機構と前記搬送ロールとの間に設けられ、前記連続紙に液滴を吐出する吐出部と、
前記吐出部と前記搬送ロールとの間に設けられ、前記連続紙を吸着しながら搬送する吸着搬送装置と、
を有する画像形成装置。
【請求項２】
前記吸着搬送装置は、複数の吸着孔を備えると共に前記連続紙を吸着しながら搬送する搬送ベルトと、前記吸着孔を通じて空気を吸い込む吸込み部と、を備え、
前記搬送ベルトは、前記搬送ロールとの間で前記連続紙に弛みを生じる速度で搬送する構成とされている請求項１に記載の画像形成装置。
【請求項３】
前記搬送機構は、前記連続紙の搬送方向における前記吐出部の上流側に設けられており、
前記搬送ロールは、前記連続紙の搬送方向における前記吐出部の下流側に設けられ、前記搬送機構の搬送速度よりも搬送速度が大きい過送りロールであり、
前記搬送ベルトは、前記過送りロールの搬送速度よりも搬送速度が大きい請求項２に記載の画像形成装置。
【請求項４】
前記搬送機構は、前記連続紙の搬送方向における前記吐出部の下流側に設けられており、
前記搬送ロールは、前記連続紙の搬送方向における前記吐出部の上流側に設けられ、前記搬送機構の搬送速度よりも搬送速度が小さい過小送りロールであり、
前記搬送ベルトは、前記過小送りロールの搬送速度よりも搬送速度が小さい請求項２に記載の画像形成装置。
【請求項５】
連続紙に設けられた送り穴にピンを挿入し前記連続紙を搬送する第２の搬送機構と、
前記連続紙を挟みながら搬送すると共に、前記搬送機構の搬送速度に対して前記連続紙に張力を付与するように搬送速度が設定された第２の搬送ロールと、
前記連続紙を吸着しながら搬送する第２の吸着搬送装置と、
前記第２の搬送機構と前記第２の搬送ロールの間に設けられ、前記連続紙上に液滴により形成された画像を読取る読取り部と、を備え、
前記第２の吸着搬送装置は、前記読取り部と前記第２の搬送ロールとの間に設けられている請求項１から請求項４までのいずれか１項に記載の画像形成装置。
【発明の詳細な説明】
【技術分野】
【０００１】
本発明は、画像形成装置に関する。
【背景技術】
【０００２】
下記特許文献１には、連続紙を搬送する搬送手段と、連続紙にブレーキを可変に付与するブレーキ手段と、ブレーキ力を設定するブレーキ力設定手段と、ブレーキ力設定手段により設定されたブレーキ力に応じてブレーキ手段を制御する制御手段と、を設けた構造が開示されている。
【０００３】
下記特許文献２には、トナー像を連続紙に転写させる転写器と、連続紙を搬送するトラクタとを備え、転写器に対して連続紙の搬送方向上流側の搬送経路に、吸引ベルト機構を設けた構造が開示されている。
【先行技術文献】
【特許文献】
【０００４】
【特許文献１】特開２００２−０６８５４８号公報
【特許文献２】特開平１０−１７１１８９号公報
【発明の概要】
【発明が解決しようとする課題】
【０００５】
本発明は、吐出部と搬送ロールとの間に連続紙を吸着しながら搬送する吸着搬送装置を有しない構成と比較して、連続紙の折りミシン目が、搬送ロールを通過するときに発生する振動の吐出部への伝播を抑制する画像形成装置を得ることが目的である。
【課題を解決するための手段】
【０００６】
請求項１に記載の発明に係る画像形成装置は、折りミシン目を備える連続紙に設けられた送り穴にピンを挿入し前記連続紙を搬送する搬送機構と、前記連続紙を挟みながら搬送すると共に、前記搬送機構の搬送速度に対して前記連続紙に張力を付与するように搬送速度が設定された搬送ロールと、前記搬送機構と前記搬送ロールとの間に設けられ、前記連続紙に液滴を吐出する吐出部と、前記吐出部と前記搬送ロールとの間に設けられ、前記連続紙を吸着しながら搬送する吸着搬送装置と、を有する。
【０００７】
請求項２に記載の発明は、請求項１に記載の画像形成装置において、前記吸着搬送装置は、複数の吸着孔を備えると共に前記連続紙を吸着しながら搬送する搬送ベルトと、前記吸着孔を通じて空気を吸い込む吸込み部と、を備え、前記搬送ベルトは、前記搬送ロールとの間で前記連続紙に弛みを生じる速度で搬送する構成とされている。
【０００８】
請求項３に記載の発明は、請求項２に記載の画像形成装置において、前記搬送機構は、前記連続紙の搬送方向における前記吐出部の上流側に設けられており、前記搬送ロールは、前記連続紙の搬送方向における前記吐出部の下流側に設けられ、前記搬送機構の搬送速度よりも搬送速度が大きい過送りロールであり、前記搬送ベルトは、前記過送りロールの搬送速度よりも搬送速度が大きい。
【０００９】
請求項４に記載の発明は、請求項２に記載の画像形成装置において、前記搬送機構は、前記連続紙の搬送方向における前記吐出部の下流側に設けられており、前記搬送ロールは、前記連続紙の搬送方向における前記吐出部の上流側に設けられ、前記搬送機構の搬送速度よりも搬送速度が小さい過小送りロールであり、前記搬送ベルトは、前記過小送りロールの搬送速度よりも搬送速度が小さい。
【００１０】
請求項５に記載の発明は、請求項１から請求項４までのいずれか１項に記載の画像形成装置において、連続紙に設けられた送り穴にピンを挿入し前記連続紙を搬送する第２の搬送機構と、前記連続紙を挟みながら搬送すると共に、前記搬送機構の搬送速度に対して前記連続紙に張力を付与するように搬送速度が設定された第２の搬送ロールと、前記連続紙を吸着しながら搬送する第２の吸着搬送装置と、前記第２の搬送機構と前記第２の搬送ロールの間に設けられ、前記連続紙上に液滴により形成された画像を読取る読取り部と、を備え、前記第２の吸着搬送装置は、前記読取り部と前記第２の搬送ロールとの間に設けられている。
【発明の効果】
【００１１】
請求項１に記載の発明によれば、吐出部と搬送ロールとの間に連続紙を吸着しながら搬送する吸着搬送装置を有しない構成と比較して、連続紙の折りミシン目が、搬送ロールを通過するときに発生する振動の吐出部への伝播が抑制される。
【００１２】
請求項２に記載の発明によれば、搬送ベルトが、搬送ロールとの間で連続紙に弛みを生じる速度で搬送されていない構成と比較して、連続紙の折りミシン目が搬送ロールを通過するときに、吐出部の下側の連続紙への振動の伝播が抑制される。
【００１３】
請求項３に記載の発明によれば、搬送ベルトの搬送速度が搬送ロールの搬送速度と等速のものと比較して、連続紙の折りミシン目が搬送ロールを通過するときに、吐出部の下側の連続紙への振動の伝播が抑制される。
【００１４】
請求項４に記載の発明によれば、搬送ベルトの搬送速度が搬送ロールの搬送速度と等速のものと比較して、連続紙の折りミシン目が搬送ロールを通過するときに、吐出部の下側の連続紙への振動の伝播が抑制される。
【００１５】
請求項５に記載の発明によれば、読取り部と搬送ロールとの間に連続紙を吸着しながら搬送する吸着搬送装置を有しない構成と比較して、連続紙の折りミシン目が、搬送ロールを通過するときに発生する振動の読取り部への伝播が抑制される。
【図面の簡単な説明】
【００１６】
【図１】本発明の第１実施形態の画像形成装置を示す構成図である。
【図２】図１に示す画像形成装置に用いられる吸着搬送装置を示す断面図である。
【図３】図１に示す画像形成装置で搬送される連続紙を示す平面図である。
【図４】本発明の第２実施形態の画像形成装置に用いられる吸着搬送装置を示す断面図である。
【図５】本発明の第３実施形態の画像形成装置に用いられる第２の吸着搬送装置を示す断面図である。
【発明を実施するための形態】
【００１７】
以下に、本発明の画像形成装置の実施の形態を図面に基づいて説明する。なお、図面において、矢印ＵＰで示す方向を画像形成装置の鉛直方向における上方向とする。また、本明細書において、「〜」を用いて表される数値範囲がある場合は、数値範囲は、「〜」の前後に記載される数値を下限値及び上限値として含む範囲を意味する。
【００１８】
〔第１実施形態〕
（画像形成装置の全体構成）
図１は、本発明の第１実施形態の画像形成装置１０を示す構成図である。画像形成装置１０は、液滴の一例としてのインク滴を吐出して連続紙２上に画像を形成するインクジェット記録装置とされている。図１に示されるように、画像形成装置１０は、連続紙２を供給する供給部１２と、連続紙２にインク滴を吐出して画像形成を行う画像形成部１４と、連続紙２の搬送方向（矢印Ａ方向）における画像形成部１４の下流側で連続紙２のインク滴を乾燥させる乾燥部１６と、連続紙２の搬送方向における乾燥部１６の下流側で連続紙２を回収する回収部１８と、を備えている。なお、以下では、連続紙２の搬送方向を単に「搬送方向」という場合がある。
【００１９】
供給部１２は、連続紙２を収容する給紙収容部２２を備えている。連続紙２には、各ページが搬送方向に連続して形成されている。連続紙２には、各ページを区切る折りミシン目２Ａが形成されており、折りミシン目２Ａで切断が可能とされている（図３参照）。連続紙２は、折りミシン目２Ａを折り目として山谷が交互となるように折りたたまれた（Ｚ折りされた）状態で給紙収容部２２に収容されている。図３に示されるように、連続紙２の幅方向（長手方向と直交する方向）両側には、複数の送り穴２Ｂが設けられている。図３では、連続紙２の幅方向両側は対称であるので、連続紙２のＣＬ（センターライン）の幅方向一方側のみを図示し、連続紙２のＣＬ（センターライン）の幅方向他方側は、図示を省略している。
【００２０】
図１に示されるように、画像形成部１４は、連続紙２を矢印Ａ方向に搬送する搬送機構の一例としてのトラクタ機構２４と、連続紙２の搬送方向におけるトラクタ機構２４の下流側で連続紙２にインク滴を吐出して画像を形成する吐出部の一例としてのインクジェット記録ヘッド（以下、「記録ヘッド」と略称する）２６と、を備えている。また、画像形成部１４は、連続紙２の搬送方向における記録ヘッド２６の下流側に、連続紙２を挟みながら搬送する搬送ロール２８を備えている。搬送ロール２８は、連続紙２を表面側（吐出面側）と裏面側とから挟む一対のロール２８Ａ、２８Ｂを備えている。記録ヘッド２６は、画像形成装置１０の上下方向における連続紙２の上方側に配置されている。記録ヘッド２６と連続紙２を挟んで対向する位置には、連続紙２の裏面（インク滴の吐出面と反対側）に接触して連続紙２をガイドする板状のガイド部３０が設けられている。
【００２１】
トラクタ機構２４は、連続紙２の幅方向（長手方向と直交する方向）両側に設けられた複数の送り穴２Ｂ（図３参照）に、後述するピン５６を挿入して連続紙２を搬送する構成とされている（図２参照）。本実施形態では、トラクタ機構２４により連続紙２が搬送されることで、給紙収容部２２から連続紙２が引き出される。トラクタ機構２４については、後に説明する。
【００２２】
また、画像形成部１４は、記録ヘッド２６と搬送ロール２８との間に、連続紙２を吸着しながら搬送する吸着搬送装置３２を備えている。吸着搬送装置３２については、後に説明する。さらに、トラクタ機構２４の搬送方向上流側、及び搬送ロール２８の搬送方向下流側には、連続紙２の裏面（インク滴の吐出面と反対側の面）に接触して連続紙２をガイドする複数のガイドロール３４が設けられている。
【００２３】
記録ヘッド２６は、本実施形態では、イエロー（Ｙ）、マゼンタ（Ｍ）、シアン（Ｃ）、黒（Ｋ）の各色に対応した記録ヘッド（図示省略）を備えている。例えば、各色の記録ヘッドは、連続紙２の搬送方向の上流側から下流側に向かって記載した順序で配置されており、各色の記録ヘッドの各々は、複数のノズルから対応する色のインクを吐出して、連続紙２上に対応する色の画像を形成する。なお、本実施形態では、ＹＭＣＫ各色を区別する必要がないので、「記録ヘッド２６」と総称する。記録ヘッド２６は、図示しないノズルが配置された複数のインクジェットヘッドが連続紙２の幅方向に千鳥状に配置された構成とされている。
【００２４】
乾燥部１６は、連続紙２に吐出されたインク滴を乾燥させる乾燥装置３６を備えている。乾燥装置３６は、連続紙２に吐出されたインク滴をヒータで加熱し、又はインク滴の吐出面にレーザ光を照射する構成とされている。これにより、連続紙２上に形成された画像のインク滴を乾燥させて、連続紙２に画像を定着させるようになっている。乾燥部１６には、連続紙２の搬送方向を変更して連続紙２のインク滴の吐出面を乾燥装置３６と対向する位置に導く複数のガイドロール３８を備えている。ガイドロール３８は、連続紙２のインク滴の吐出面と反対側の面に接触するように配置されている。
【００２５】
回収部１８は、連続紙２を収容する排紙収容部４０を備えている。また、回収部１８は、乾燥部１６から連続紙２の搬送方向を変更して連続紙２を排紙収容部４０に導く複数のガイドロール４２を備えている。排紙収容部４０では、連続紙２が、折りミシン目２Ａを折り目として山谷が交互となるように折りたたまれた（Ｚ折りされた）状態で収容されるようになっている。
【００２６】
上記の画像形成装置１０では、給紙収容部２２から引き出された連続紙２は、トラクタ機構２４によって矢印Ａ方向に搬送される。画像形成部１４では、記録ヘッド２６によりインク滴が連続紙２に吐出されて画像が形成される。記録ヘッド２６により画像が形成された連続紙２は、乾燥装置３６と対向する位置に搬送され、乾燥装置３６により連続紙２上に形成された画像のインク滴が乾燥される。さらに、インク滴の乾燥により画像が定着された連続紙２は、排紙収容部４０に折りたたまれた状態で収容されることで、連続紙２への画像形成が終了する。
【００２７】
（画像形成部１４の詳細構成）
図２には、画像形成装置１０の画像形成部１４が示されている。図２に示されるように、画像形成部１４は、連続紙２の搬送方向における記録ヘッド２６の上流側に、トラクタ機構２４を備えている。また、画像形成部１４は、上述のように連続紙２の搬送方向における記録ヘッド２６の下流側に、搬送ロール２８を備えている。言い換えると、画像形成部１４では、連続紙２の搬送方向におけるトラクタ機構２４と搬送ロール２８との間に記録ヘッド２６が設けられている。さらに、画像形成部１４は、上述のように連続紙２の搬送方向における記録ヘッド２６と搬送ロール２８との間に、連続紙２を吸着しながら搬送する吸着搬送装置３２を備えている。
【００２８】
図３に示されるように、連続紙２の幅方向（長手方向と直交する方向）両側には、複数の送り穴２Ｂが設けられており、送り穴２Ｂは、連続紙２の長手方向に間隔をおいて配置されている。本実施形態では、隣り合う送り穴２Ｂは、ピッチＰとなるように配置されている。
【００２９】
図２に示されるように、トラクタ機構２４は、連続紙２の搬送方向の下流側と上流側に間隔をおいて配置された一対のロール５０、５２と、一対のロール５０、５２に架け渡された無端状の搬送ベルト５４と、を備えている。一対のロール５０、５２は、一方が駆動ロールで、他方が従動ロールとされている。一対のロール５０、５２は、その軸方向が連続紙２の搬送方向と交差するように配置されている。搬送ベルト５４は、連続紙２の幅方向両側に一対となるように配置されている。搬送ベルト５４の表面（外側表面）の幅方向両側には、複数のピン５６がベルト周方向に沿って間隔をおいて取り付けられている。複数のピン５６のピッチは、連続紙２の複数の送り穴２ＢのピッチＰ（図３参照）と合わせて設定されている。複数のピン５６が連続紙２の複数の送り穴２Ｂにそれぞれ挿入された状態で、ピン５６と送り穴２Ｂとを入れ替えつつ、搬送ベルト５４の連続紙２側の部位が矢印Ｂ方向に移動する。これにより、連続紙２が矢印Ａ方向に搬送されるようになっている。一対のロール５０、５２と搬送ベルト５４は、連続紙２の下側（裏面側）に配置されている。トラクタ機構２４は、連続紙２を挟んで搬送ベルト５４と反対側（連続紙２の上方側）に、連続紙２の上方側を覆うと共に連続紙２の送り穴２Ｂがピン５６から抜けないようにするガイド部５８が設けられている。
【００３０】
ガイド部３０は、記録ヘッド２６側（画像形成装置１０の上下方向上側）に向かって凸状となるように湾曲している。トラクタ機構２４と一対のロール２８Ａ、２８Ｂの接触部の位置は、ガイド部３０に接触して湾曲した連続紙２の延長線上となる位置に配置されている。
【００３１】
搬送ロール２８は、一対のロール２８Ａ、２８Ｂを備えており、一方が駆動ロールとされ、他方が従動ロールとされている。本実施形態では、連続紙２の裏面と接触するロール２８Ａが駆動ロールとされており、ロール２８Ａが矢印Ｃ方向に回転駆動されると共に、ロール２８Ｂが矢印Ｄ方向に従動回転することで、連続紙２が搬送されるようになっている。
【００３２】
吸着搬送装置３２は、連続紙２の搬送方向（矢印Ａ方向）の下流側と上流側に間隔をおいて配置された一対のロール６０、６２と、一対のロール６０、６２に架け渡された無端状の搬送ベルト６４と、を備えている。一対のロール６０、６２は、一方が駆動ロールで、他方が従動ロールとされている。一対のロール６０、６２は、その軸方向が連続紙２の搬送方向と交差するように配置されている。搬送ベルト６４は、複数の吸着孔６４Ａを備えている。図示を省略するが、複数の吸着孔６４Ａは、例えば、搬送ベルト６４に千鳥状に配置されている。また、吸着搬送装置３２は、搬送ベルト６４の内部に、吸着孔６４Ａを通じて連続紙２側から空気を吸い込む吸込み部の一例としてのファン６６を備えている。
【００３３】
吸着搬送装置３２では、ファン６６により搬送ベルト６４の吸着孔６４Ａを通じて連続紙２側から空気を吸い込むことで、連続紙２が搬送ベルト６４の表面に吸着される（貼り付く）ようになっている。そして、搬送ベルト６４は、連続紙２との接触部で一対のロール６０、６２の回転により矢印Ｅ方向に移動することで、搬送ベルト６４の表面に連続紙２を吸着しながら搬送する。
【００３４】
画像形成装置１０では、搬送ロール２８の駆動側であるロール２８Ａの連続紙２の搬送速度Ｖ２は、トラクタ機構２４の連続紙２の搬送速度Ｖ１よりも大きい（Ｖ２＞Ｖ１）。これにより、搬送ロール２８は、過送りによりトラクタ機構２４の下流側で連続紙２に弛みが生じることが抑制されるようになっている。さらに、搬送ベルト６４の連続紙２の搬送速度Ｖ３は、搬送ロール２８の連続紙２の搬送速度Ｖ２よりも大きい（Ｖ３＞Ｖ２）。すなわち、本実施形態では、Ｖ３＞Ｖ２＞Ｖ１に設定されている。これにより、搬送ベルト６４が、搬送ベルト６４と搬送ロール２８との間で連続紙２に弛みを生じる速度で搬送する構成とされている。
【００３５】
（作用及び効果）
次に、本実施形態の作用及び効果について説明する。
【００３６】
図２に示されるように、画像形成装置１０は、連続紙２の搬送方向における記録ヘッド２６の上流側に、トラクタ機構２４を備えている。トラクタ機構２４では、搬送ベルト５４の複数のピン５６が連続紙２の送り穴２Ｂに挿入された状態で、搬送ベルト５４が矢印Ｂ方向に移動する。また、画像形成装置１０は、連続紙２の搬送方向における記録ヘッド２６の下流側に、搬送ロール２８を備えており、搬送ロール２８により連続紙２を挟んで搬送する。これにより、連続紙２が矢印Ａ方向に搬送される。
【００３７】
画像形成装置１０は、記録ヘッド２６と搬送ロール２８との間に、連続紙２を吸着しながら搬送する吸着搬送装置３２を備えている。吸着搬送装置３２では、ファン６６により搬送ベルト６４の吸着孔６４Ａを通じて空気を吸い込むことにより、連続紙２が搬送ベルト６４の表面に吸着される（貼り付く）。これと共に、搬送ベルト６４が矢印Ｅ方向に移動することにより、搬送ベルト６４の表面に連続紙２が吸着されながら搬送される。
【００３８】
一般的に、トラクタ機構と連続紙２を挟んで搬送する搬送ロールとの間に記録ヘッドが配置されている画像形成装置では、連続紙２の折りミシン目２Ａが搬送ロールに衝突したときの振動が、記録ヘッドの下側の連続紙２に伝播する場合がある。そのとき、連続紙２がばたつき、連続紙２の速度の送りムラとなって、記録ヘッドによって形成される画像が乱れる場合がある。
【００３９】
上記の画像形成装置１０では、記録ヘッド２６と搬送ロール２８との間に、連続紙２を吸着しながら搬送する吸着搬送装置３２を備えている。吸着搬送装置３２では、連続紙２が搬送ベルト６４の表面に吸着される（貼り付く）と共に、搬送ベルト６４の表面に連続紙２が吸着されながら搬送される。これにより、連続紙２の折りミシン目２Ａが吸着搬送装置３２に搬送されたときに、連続紙２の折りミシン目２Ａが搬送ベルト６４の表面に吸着されながら搬送される。このため、画像形成装置１０では、記録ヘッドと搬送ロールとの間に連続紙を吸着しながら搬送する吸着搬送装置を有しない構成と比較して、連続紙２の折りミシン目２Ａが、搬送ロール２８を通過するときに発生する振動が、搬送ベルト６４の上流側、すなわち記録ヘッド２６の下側の連続紙２に伝播することが抑制される。
【００４０】
また、画像形成装置１０では、搬送ベルト６４の連続紙２の搬送速度Ｖ３は、搬送ロール２８の連続紙２の搬送速度Ｖ２よりも大きい（Ｖ３＞Ｖ２）。すなわち、搬送ベルト６４が、搬送ベルト６４と搬送ロール２８との間で連続紙２に弛みを生じる速度で搬送する構成とされている。さらに、画像形成装置１０では、搬送ロール２８は、連続紙２の搬送速度Ｖ２がトラクタ機構２４の連続紙２の搬送速度Ｖ１よりも大きい過送りロールとされている（Ｖ２＞Ｖ１）。これにより、画像形成装置１０では、搬送ベルト６４と搬送ロール２８との間で連続紙２の弛みが生じ、搬送ベルト６４とトラクタ機構２４との間で記録ヘッド２６の下側の連続紙２に張力が発生する。
【００４１】
このため、画像形成装置１０では、搬送ベルトの搬送速度が搬送ロールの搬送速度と等速のものと比較して、連続紙２の折りミシン目２Ａが搬送ロール２８を通過するときに、記録ヘッド２６の下側の連続紙２への振動の伝播が抑制される。
【００４２】
〔第２実施形態〕
次に、図４を用いて、本発明の第２実施形態の画像形成装置について説明する。なお、前述した第１実施形態と同一構成部分については、同一番号を付してその説明を省略する。
【００４３】
図４には、本実施形態の画像形成装置７０の画像形成部７２が示されている。図４に示されるように、画像形成部７２は、連続紙２の搬送方向における記録ヘッド２６の下流側に、搬送機構の一例としてのトラクタ機構７４を備えている。また、画像形成部７２は、連続紙２の搬送方向における記録ヘッド２６の上流側に、連続紙２を挟んで搬送する搬送ロール７８を備えている。言い換えると、画像形成装置７０では、連続紙２の搬送方向における搬送ロール７８とトラクタ機構７４との間に記録ヘッド２６が設けられている。さらに、画像形成部７２は、連続紙２の搬送方向における搬送ロール７８と記録ヘッド２６との間に、連続紙２を吸着しながら搬送する吸着搬送装置７６を備えている。
【００４４】
トラクタ機構７４の構成は、第１実施形態のトラクタ機構２４の構成と同じである。また、搬送ロール７８は、一対のロール２８Ａ、２８Ｂを備えている。
【００４５】
画像形成装置７０では、搬送ロール７８の駆動側であるロール２８Ａの連続紙２の搬送速度Ｖ２は、トラクタ機構７４の連続紙２の搬送速度Ｖ１よりも小さい（Ｖ１＞Ｖ２）。これにより、搬送ロール７８は、過小送りによりトラクタ機構７４より上流側で連続紙２に弛みが生じることが抑制されるようになっている。さらに、トラクタ機構７４に設けられた搬送ベルト６４の連続紙２の搬送速度Ｖ３は、搬送ロール７８の連続紙２の搬送速度Ｖ２より小さい（Ｖ２＞Ｖ３）。すなわち、本実施形態では、Ｖ１＞Ｖ２＞Ｖ３に設定されている。これにより、搬送ベルト６４が、搬送ベルト６４と搬送ロール７８との間で連続紙２に弛みを生じる速度で搬送する構成とされている。
【００４６】
上記の画像形成装置７０は、搬送ロール７８と記録ヘッド２６との間に、連続紙２を吸着しながら搬送する吸着搬送装置７６を備えている。吸着搬送装置７６では、ファン６６により搬送ベルト６４の吸着孔６４Ａを通じて空気を吸い込むことにより、連続紙２が搬送ベルト６４の表面に吸着される（貼り付く）。これと共に、搬送ベルト６４が矢印Ｅ方向に移動することにより、搬送ベルト６４の表面に連続紙２が吸着されながら搬送される。これにより、連続紙２の折りミシン目２Ａが吸着搬送装置７６に搬送されたときに、連続紙２の折りミシン目２Ａが搬送ベルト６４の表面に吸着されながら搬送される。このため、画像形成装置７０では、記録ヘッドと搬送ロールとの間に連続紙を吸着しながら搬送する吸着搬送装置を有しない構成と比較して、連続紙２の折りミシン目２Ａが、搬送ロール７８を通過するときに発生する振動が、記録ヘッド２６の下側の連続紙２に伝播することが抑制される。
【００４７】
また、画像形成装置７０では、吸着搬送装置７６における搬送ベルト６４の連続紙２の搬送速度Ｖ３は、搬送ロール７８の連続紙２の搬送速度Ｖ２よりも小さい（Ｖ２＞Ｖ３）。すなわち、搬送ベルト６４が、搬送ベルト６４と搬送ロール７８との間で連続紙２に弛みを生じる速度で連続紙２を搬送する構成とされている。さらに、画像形成装置７０では、搬送ロール７８は、連続紙２の搬送速度Ｖ２がトラクタ機構７４の連続紙２の搬送速度Ｖ１よりも小さい過小送りロールとされている（Ｖ１＞Ｖ２）。これにより、画像形成装置１０では、搬送ベルト６４と搬送ロール７８との間で連続紙２の弛みが生じ、搬送ベルト６４とトラクタ機構７４との間で記録ヘッド２６の下側の連続紙２に張力が発生する。
【００４８】
このため、画像形成装置７０では、搬送ベルトの搬送速度が搬送ロールの搬送速度と等速のものと比較して、連続紙２の折りミシン目２Ａが搬送ロール７８を通過するときに、記録ヘッド２６の下側の連続紙２への振動の伝播が抑制される。
【００４９】
〔補足説明〕
なお、第１及び第２実施形態の画像形成装置は、記録ヘッド２６の下側に、連続紙２の下面（裏面）をガイドするガイド部３０が設けられているが、本発明は、この構成に限定されるものではない。例えば、湾曲したガイド部３０に代えて、平板状のガイド部を設ける構成でもよい。また画像形成装置では、例えば、記録ヘッド２６の下側に、板状のガイド部３０に代えて、連続紙２の搬送方向と交差する方向に配置されると共に連続紙２の下面（裏面）をガイドする複数本のガイドロールを備える構成でもよい。
【００５０】
〔第３実施形態〕
次に、図５を用いて、本発明の第３実施形態の画像形成装置について説明する。なお、前述した第１及び第２実施形態と同一構成部分については、同一番号を付してその説明を省略する。
【００５１】
図５に示されるように、本実施形態の画像形成装置１００では、記録ヘッド２６（図１参照）の連続紙２の搬送方向の下流側に、光学センサで構成された画像を読取る読取り部１０２と、読取り部１０２の上流側に配置される第２の搬送機構の一例としての第２のトラクタ機構１０４と、読取り部１０２の下流側に配置される第２の搬送ロール１０８と、を備えている。さらに、画像形成装置１００では、読取り部１０２と第２の搬送ロール１０８との間に、連続紙２を吸着しながら搬送する第２の吸着搬送装置１０６を備えている。なお、第２のトラクタ機構１０４は、トラクタ機構２４（図２参照）と同様の構成、第２の搬送ロール１０８は、搬送ロール２８（図２参照）と同様の構成、第２の吸着搬送装置１０６は、吸着搬送装置３２（図２参照）と同様の構成となっている。図示を省略するが、本実施形態の画像形成装置１００では、例えば、図１に示す画像形成装置１０において、連続紙２の搬送方向における乾燥装置３６と該乾燥装置３６の下流側のガイドロール３８との間に配置スペースを設け、読取り部１０２、第２のトラクタ機構１０４、第２の搬送ロール１０８、第２の吸着搬送装置１０６を配置する構成とされている。
【００５２】
連続紙２の折りミシン目２Ａが第２の吸着搬送装置１０６に搬送されたときに、連続紙２の折りミシン目２Ａが第２の吸着搬送装置１０６における搬送ベルト６４の表面に吸着されながら搬送される。このため、画像形成装置１０では、読取り部と第２の搬送ロールとの間に連続紙を吸着しながら搬送する第２の吸着搬送装置を有しない構成と比較して、連続紙２の折りミシン目２Ａが、第２の搬送ロール１０８を通過するときに発生する振動が、第２の吸着搬送装置１０６の搬送ベルト６４の上流側、すなわち読取り部１０２の下側の連続紙２に伝播することが抑制され、読取り誤差が低減される。
【００５３】
なお、本発明を特定の実施形態について詳細に説明したが、本発明はかかる実施形態に限定されるものではなく、本発明の範囲内にて他の種々の実施形態が可能であることは当業者にとって明らかである。
【符号の説明】
【００５４】
２     連続紙
２Ａ   折りミシン目
２Ｂ   送り穴
１０   画像形成装置
２４   トラクタ機構（搬送機構の一例）
２６   記録ヘッド（吐出部の一例）
２８   搬送ロール
２８Ａ ロール（搬送ロールの一例）
２８Ｂ ロール（搬送ロールの一例）
３２   吸着搬送装置
６４   搬送ベルト
６４Ａ 吸着孔
６６   ファン（吸込み部の一例）
７０   画像形成装置
７４   トラクタ機構（搬送機構の一例）
７６   吸着搬送装置
７８   搬送ロール
１００ 画像形成装置
１０２ 読取り部
１０４ 第２のトラクタ機構（第２の搬送機構の一例）
１０６ 第２の吸着搬送装置
１０８ 第２の搬送ロール
【図１】
2018020859.tif 000003
【図２】
2018020859.tif 000004
【図３】
2018020859.tif 000005
【図４】
2018020859.tif 000006
【図５】
2018020859.tif 000007